(57)【特許請求の範囲】
【請求項１】
生体情報測定装置であって、
前記生体情報測定装置は、台座、電極、および、少なくとも３つの台足を有し、
前記台座は、台座本体および載置台を有し、
前記載置台は、前記台座本体の上に載せられ、前記台座本体と結合され、右側の側端、左側の側端、および、身体が載せられる載置面を有し、
前記電極は、前記載置面に形成され、
前記台座本体は、右側面、左側面、および、下面を有し、
前記右側の側端は、前記生体情報測定装置の幅方向において前記右側面のうちの最も右側の部分よりも外側に存在し、
前記左側の側端は、前記生体情報測定装置の幅方向において前記左側面のうちの最も左側の部分よりも外側に存在し、
前記右側面は、前記生体情報測定装置の幅方向において前記右側の側端よりも内側に存在し、前記生体情報測定装置の下方に向かうにつれて前記生体情報測定装置の幅方向の内側に向けて傾斜し、
前記左側面は、前記生体情報測定装置の幅方向において前記左側の側端よりも内側に存在し、前記生体情報測定装置の下方に向かうにつれて前記台座本体の幅方向の内側に向けて傾斜し、
前記右側面および前記下面のなす角は、鈍角を有し、
前記左側面および前記下面のなす角は、鈍角を有し、
前記少なくとも３つの台足は、前記台座を支持し、前記生体情報測定装置の幅方向において前記左側面の延長面よりも内側に存在し、前記生体情報測定装置の幅方向において前記右側面の延長面よりも内側に存在している
生体情報測定装置。
【請求項２】
前記生体情報測定装置は、足マークを有し、
前記足マークは、前記載置面に形成され、足の置き場所を示し、
前記台足の中心軸は、前記台足の中心軸を通る前記生体情報測定装置の幅方向において、前記足マークの中心位置よりも外側に存在している
請求項１に記載の生体情報測定装置。
【請求項３】
前記生体情報測定装置は、２つの前記足マーク、および、４つの前記台足を有し、
前記２つの足マークは、左足に対応する左足マーク、および、右足に対応する右足マークを含み、
前記載置面は、４つの辺を有し、
前記載置面の４つの辺は、前記生体情報測定装置の前後方向において互いに対向する前辺および後辺、ならびに、前記生体情報測定装置の幅方向において互いに対向する左辺および右辺を含み、
前記前辺の長さは、前記後辺の長さよりも長く、
前記左側面は、前記左辺に対応して形成され、
前記右側面は、前記右辺に対応して形成され、
前記４つの台足のうちの１つの台足である左前方台足は、前記台座の前方部分を支持し、前記左辺に対応し、前記生体情報測定装置の幅方向において前記左側面の延長面よりも内側に存在し、前記生体情報測定装置の幅方向において前記右側面の延長面よりも内側に存在し、
前記４つの台足のうちの１つの台足である右前方台足は、前記台座の前方部分を支持し、前記右辺に対応し、前記生体情報測定装置の幅方向において前記右側面の延長面よりも内側に存在し、前記生体情報測定装置の幅方向において前記左側面の延長面よりも内側に存在し、
前記４つの台足のうちの１つの台足である左後方台足は、前記台座の後方部分を支持し、前記左辺に対応し、前記生体情報測定装置の幅方向において前記左側面の延長面よりも外側に存在し、前記生体情報測定装置の幅方向において前記左後方台足の中心軸が前記左足マークの中心線よりも外側に存在し、
前記４つの台足のうちの１つの台足である右後方台足は、前記台座の後方部分を支持し、前記右辺に対応し、前記生体情報測定装置の幅方向において前記右側面の延長面よりも外側に存在し、前記生体情報測定装置の幅方向において前記右後方台足の中心軸が前記右足マークの中心線よりも外側に存在している
請求項２に記載の生体情報測定装置。
【請求項４】
前記生体情報測定装置は、２つの前記足マーク、および、４つの前記台足を有し、
前記２つの足マークは、左足に対応する左足マーク、および、右足に対応する右足マークを含み、
前記載置面は、４つの辺を有し、
前記載置面の４つの辺は、前記生体情報測定装置の前後方向において互いに対向する前辺および後辺、ならびに、前記生体情報測定装置の幅方向において互いに対向する左辺および右辺を含み、
前記前辺の長さは、前記後辺の長さよりも短く、
前記左側面は、前記左辺に対応して形成され、
前記右側面は、前記右辺に対応して形成され、
前記４つの台足のうちの１つの台足である左前方台足は、前記台座の前方部分を支持し、前記左辺に対応し、前記生体情報測定装置の幅方向において前記左側面の延長面よりも外側に存在し、前記生体情報測定装置の幅方向において前記左前方台足の中心軸が前記左足マークの中心線よりも外側に存在し、
前記４つの台足のうちの１つの台足である右前方台足は、前記台座の前方部分を支持し、前記右辺に対応し、前記生体情報測定装置の幅方向において前記右側面の延長面よりも外側に存在し、前記生体情報測定装置の幅方向において前記右前方台足の中心軸が前記右足マークの中心線よりも外側に存在し、
前記４つの台足のうちの１つの台足である左後方台足は、前記台座の後方部分を支持し、前記左辺に対応し、前記生体情報測定装置の幅方向において前記左側面の延長面よりも内側に存在し、前記生体情報測定装置の幅方向において前記右側面の延長面よりも内側に存在し、
前記４つの台足のうちの１つの台足である右後方台足は、前記台座の後方部分を支持し、前記右辺に対応し、前記生体情報測定装置の幅方向において前記右側面の延長面よりも内側に存在し、前記生体情報測定装置の幅方向において前記左側面の延長面よりも内側に存在している
請求項２に記載の生体情報測定装置。
【請求項５】
前記足マークの少なくとも一部は、前記電極により構成されている
請求項２〜４のいずれか一項に記載の生体情報測定装置。
【発明の詳細な説明】
【技術分野】
【０００１】
本発明は、足が載せられる載置面を有する台座と、この台座を支持する少なくとも３つの台足とを備える生体情報測定装置に関する。
【背景技術】
【０００２】
上記生体情報測定装置として特許文献１に記載のものが知られている。
この生体情報測定装置においては、測定者が載置面に足を載せるときに台座が傾くことを抑制するため、台座の底面に台足とは別に突起が設けられている。また、体重の測定にあたり同測定装置が床等の設置面上に配置された状態において、設置面との間にクリアランスが形成されるように突起が設けられている。
【先行技術文献】
【特許文献】
【０００３】
【特許文献１】特開２００１−１８３２２６号公報
【発明の概要】
【発明が解決しようとする課題】
【０００４】
上記生体情報測定装置が絨毯等の軟らかい設置面上に配置されたとき、台足が設置面に沈み込むため、生体情報測定装置が床等の硬い設置面上に配置されたときと比較して、設置面と突起とのクリアランスが狭くなる。このため、測定者が載置面に足を載せて体重を測定することにともない、突起が絨毯等の設置面に接触する状況が生じることもある。この場合には、設置面から突起に力が加えられることに起因して、測定者の体重が正確に測定されない。
【０００５】
なお、ここでは体重を測定する生体情報測定装置を例に挙げているが、載置面に足が載せられた状態で測定者の生体情報を測定する生体情報測定装置であれば、生体情報として体重以外の情報を測定する装置についても上記問題が同様に生じるものと考えられる。
【０００６】
本発明の目的は、足が載せられたときに台座が傾くことを抑制し、生体情報を正確に測定することが可能な生体情報測定装置を提供することである。
【課題を解決するための手段】
【０００７】
〔１〕本生体情報測定装置は、次の事項を有する。前記生体情報測定装置は、台座、電極、および、少なくとも３つの台足を有し、前記台座は、台座本体および載置台を有し、前記載置台は、前記台座本体の上に載せられ、前記台座本体と結合され、右側の側端、左側の側端、および、身体が載せられる載置面を有し、前記電極は、前記載置面に形成され、前記台座本体は、右側面、左側面、および、下面を有し、前記右側の側端は、前記生体情報測定装置の幅方向において前記右側面のうちの最も右側の部分よりも外側に存在し、前記左側の側端は、前記生体情報測定装置の幅方向において前記左側面のうちの最も左側の部分よりも外側に存在し、前記右側面は、前記生体情報測定装置の幅方向において前記右側の側端よりも内側に存在し、前記生体情報測定装置の下方に向かうにつれて前記生体情報測定装置の幅方向の内側に向けて傾斜し、前記左側面は、前記生体情報測定装置の幅方向において前記左側の側端よりも内側に存在し、前記生体情報測定装置の下方に向かうにつれて前記台座本体の幅方向の内側に向けて傾斜し、前記右側面および前記下面のなす角は、鈍角を有し、前記左側面および前記下面のなす角は、鈍角を有し、前記少なくとも３つの台足は、前記台座を支持し、前記生体情報測定装置の幅方向において前記左側面の延長面よりも内側に存在し、前記生体情報測定装置の幅方向において前記右側面の延長面よりも内側に存在している。
〔２〕上記生体情報測定装置は、次の事項を有する。前記生体情報測定装置は、足マークを有し、前記足マークは、前記載置面に形成され、足の置き場所を示し、前記台足の中心軸は、前記台足の中心軸を通る前記生体情報測定装置の幅方向において、前記足マークの中心位置よりも外側に存在している。
〔３〕上記生体情報測定装置は、次の事項を有する。前記生体情報測定装置は、２つの前記足マーク、および、４つの前記台足を有し、前記２つの足マークは、左足に対応する左足マーク、および、右足に対応する右足マークを含み、前記載置面は、４つの辺を有し、前記載置面の４つの辺は、前記生体情報測定装置の前後方向において互いに対向する前辺および後辺、ならびに、前記生体情報測定装置の幅方向において互いに対向する左辺および右辺を含み、前記前辺の長さは、前記後辺の長さよりも長く、前記左側面は、前記左辺に対応して形成され、前記右側面は、前記右辺に対応して形成され、前記４つの台足のうちの１つの台足である左前方台足は、前記台座の前方部分を支持し、前記左辺に対応し、前記生体情報測定装置の幅方向において前記左側面の延長面よりも内側に存在し、前記生体情報測定装置の幅方向において前記右側面の延長面よりも内側に存在し、前記４つの台足のうちの１つの台足である右前方台足は、前記台座の前方部分を支持し、前記右辺に対応し、前記生体情報測定装置の幅方向において前記右側面の延長面よりも内側に存在し、前記生体情報測定装置の幅方向において前記左側面の延長面よりも内側に存在し、前記４つの台足のうちの１つの台足である左後方台足は、前記台座の後方部分を支持し、前記左辺に対応し、前記生体情報測定装置の幅方向において前記左側面の延長面よりも外側に存在し、前記生体情報測定装置の幅方向において前記左後方台足の中心軸が前記左足マークの中心線よりも外側に存在し、前記４つの台足のうちの１つの台足である右後方台足は、前記台座の後方部分を支持し、前記右辺に対応し、前記生体情報測定装置の幅方向において前記右側面の延長面よりも外側に存在し、前記生体情報測定装置の幅方向において前記右後方台足の中心軸が前記右足マークの中心線よりも外側に存在している。
〔４〕上記生体情報測定装置は、次の事項を有する。前記生体情報測定装置は、２つの前記足マーク、および、４つの前記台足を有し、前記２つの足マークは、左足に対応する左足マーク、および、右足に対応する右足マークを含み、前記載置面は、４つの辺を有し、前記載置面の４つの辺は、前記生体情報測定装置の前後方向において互いに対向する前辺および後辺、ならびに、前記生体情報測定装置の幅方向において互いに対向する左辺および右辺を含み、前記前辺の長さは、前記後辺の長さよりも短く、前記左側面は、前記左辺に対応して形成され、前記右側面は、前記右辺に対応して形成され、前記４つの台足のうちの１つの台足である左前方台足は、前記台座の前方部分を支持し、前記左辺に対応し、前記生体情報測定装置の幅方向において前記左側面の延長面よりも外側に存在し、前記生体情報測定装置の幅方向において前記左前方台足の中心軸が前記左足マークの中心線よりも外側に存在し、前記４つの台足のうちの１つの台足である右前方台足は、前記台座の前方部分を支持し、前記右辺に対応し、前記生体情報測定装置の幅方向において前記右側面の延長面よりも外側に存在し、前記生体情報測定装置の幅方向において前記右前方台足の中心軸が前記右足マークの中心線よりも外側に存在し、前記４つの台足のうちの１つの台足である左後方台足は、前記台座の後方部分を支持し、前記左辺に対応し、前記生体情報測定装置の幅方向において前記左側面の延長面よりも内側に存在し、前記生体情報測定装置の幅方向において前記右側面の延長面よりも内側に存在し、前記４つの台足のうちの１つの台足である右後方台足は、前記台座の後方部分を支持し、前記右辺に対応し、前記生体情報測定装置の幅方向において前記右側面の延長面よりも内側に存在し、前記生体情報測定装置の幅方向において前記左側面の延長面よりも内側に存在している。
〔５〕上記生体情報測定装置は、次の事項を有する。前記足マークの少なくとも一部は、前記電極により構成されている。
【発明の効果】
【００１３】
本生体情報測定装置は、足が載せられたときに台座が傾くことを抑制し、生体情報を正確に測定することができる。
【図面の簡単な説明】
【００１４】
【図１】（ａ）第１実施形態の生体情報測定装置の背面図。（ｂ）生体情報測定装置の平面図。（ｃ）生体情報測定装置の正面図。
【図２】図１のＡ−Ａ線に沿う断面図。
【図３】（ａ）比較構造の生体情報測定装置の正面図。（ｂ）第１実施形態の生体情報測定装置の正面図。
【図４】（ａ）第２実施形態の生体情報測定装置の平面図。（ｂ）生体情報測定装置の正面図。
【図５】（ａ）比較構造の生体情報測定装置の正面図。（ｂ）第２実施形態の生体情報測定装置の正面図。
【図６】（ａ）第３実施形態の生体情報測定装置の背面図。（ｂ）生体情報測定装置の平面図。（ｃ）生体情報測定装置の正面図。
【発明を実施するための形態】
【００１５】
（第１実施形態）
図１および図２を参照して、生体情報測定装置１の構成について説明する。生体情報測定装置１は、身体を載せる台座１０と、この台座１０を支持する４つの台足２０と、載置面１５に加わる荷重を測定する４つの荷重センサ３０とを備えている。更に、この台座１０には、体重および体脂肪率を示す表示部５０と、生体インピーダンスＩＢを測定するための４つの電極４０と、装置全体を制御する制御装置６０とが設けられている。
【００１６】
なお、以降の説明では、生体情報測定装置１において、表示部５０が設けられている方向を前方とし、この反対方向を後方とする。表示部５０に向いて右側を右方向とし、左側を左方向とし、左右方向を幅方向とする。載置面１５がある側を上方とし、これと反対側を下方とする。更に、前方の側面を前面１４（背面）、後方の側面を後面１１（正面）とし、前方に向って右側の側面を右側面１２、左側の側面を左側面１３とする。生体情報測定装置１を使用するときには、台座１０の前方側に足の爪先部を配置し、後方側に足の踵部を配置するものとする。なお、図面の簡単な説明においては、前面側から見た図を背面図とし、後面１１から見た図を正面図としている。
【００１７】
台座１０は、荷重センサ３０と制御装置６０を収容する台座本体１０Ａと、この台座本体１０Ａの上に設けられる載置台１０Ｂとを備えている。台座本体１０Ａと載置台１０Ｂとはねじ等により締結されている。
【００１８】
載置台１０Ｂは平面視でほぼ正方形である。すなわち、載置台１０Ｂの前辺と後辺とは互いに平行かつ等しい長さにされ、載置台１０Ｂの左辺と右辺とは互いに平行かつ等しい長さにされている。載置台１０Ｂの上面が身体を載せる載置面１５とされている。載置台１０Ｂの下面には台座本体１０Ａが設けられる。載置台１０Ｂの側端は、台座本体１０Ａの側面に対して突き出ている。
【００１９】
台座本体１０Ａは四角錐台であり、内部に荷重センサ３０と制御装置６０を収容する収容部を有する。台座本体１０Ａの側面は下方に向けて窄む台形に形成されている。台座本体１０Ａの右側面１２は、下方に向って内側に傾斜するように設けられ、右側面１２と底面１６との間のなす角θは鈍角とされている。左側面１３は右側面１２と同じ構造にされている。また、同様に、前面１４および後面１１も、右側面１２と同様の構造にされている。
【００２０】
なお、台座本体１０Ａの左側面１３、右側面１２、前面１４、後面１１を総称して側面という。すなわち、台座１０の側面とは、台座本体１０Ａの底面１６に接続されている面をいう。
【００２１】
台座本体１０Ａの下面には、台足２０が嵌りこむ４つの孔１７が形成されている。載置台１０Ｂにおいて各孔１７に対応するところに荷重センサ３０が設けられている。この荷重センサ３０は載置台１０Ｂに固定される。そして、台足２０が孔１７に嵌め込まれるとともに、その上面が荷重センサ３０に当てられている。すなわち、荷重センサ３０は、載置台１０Ｂと台足２０との間に配置されている。台座本体１０Ａに荷重が加えられたときは、荷重センサ３０を介して台足２０に力が加わる。
【００２２】
電極４０は、生体インピーダンスＩＢを測定するためのものである。
４つの電極４０は、第１印加電極４１、第２印加電極４２、第１測定電極４３、および第２測定電極４４として区別される。
【００２３】
各電極４０は、足の置き場所を示すマークとして、足の形状に対応する形に形成されている。
具体的には、右足の爪先部に対応する部分に第１印加電極４１が設けられている。左足の爪先部に対応する部分に第２印加電極４２が設けられている。右足の踵部に対応する部分に第１測定電極４３が設けられている。左足の踵部に対応する部分に第２測定電極４４が設けられている。第１印加電極４１および第１測定電極４３が右足の置き場所を示す右足マークを構成する。第２印加電極４２および第２測定電極４４が左足の置き場所を示す左足マークを構成する。
【００２４】
第１印加電極４１および第２印加電極４２は長方形に形成されている。第１印加電極４１の縦幅は足の縦寸法の略半分とされている。第１印加電極４１の横幅は、足の爪先部の横幅と略同じ大きさとされている。第２印加電極４２の寸法は第１印加電極４１と同様である。
【００２５】
第１測定電極４３および第２測定電極４４は長方形に形成されている。第１測定電極４３の縦幅は、足の縦寸法の略半分とされている。第１測定電極４３の横幅の長さは、第１印加電極４１の横幅の長さと等しくされている。第２測定電極４４の寸法は第１測定電極４３と同様である。
【００２６】
第１印加電極４１と第２印加電極４２とは身体に高周波電流を印加する印加電極とされている。なお、両電極の同電位であり、両電極は同期する。印加電流の周波数は身体の細胞壁を透過する大きさに設定されている。
【００２７】
第１測定電極４３は電位を計測するための電極である。すなわち、高周波電流が身体に印加されたとき第１測定電極４３の電位が計測される。同様に、第２測定電極４４は電位を計測するための電極であり、高周波電流が身体に印加されたとき第２測定電極４４の電位が計測される。
【００２８】
第１測定電極４３および第２測定電極４４では、第１印加電極４１および第２印加電極４２と同期した信号が出力される。そして、第１測定電極４３の振幅と第２測定電極４４の振幅の差（以下、「振幅差」）が差分回路により検出され、この値に基づいて生体インピーダンスＩＢが算出される。なお、振幅差が大きくなるほど生体インピーダンスＩＢが大きい値となる。生体インピーダンスＩＢは、体脂肪率、体重、性別、年齢等の情報と関連性があるため、これら情報に基づいて体脂肪率が算出される。なお、性別、年齢等の生体情報は、生体情報測定装置１の表示部５０に設けられたインターフェイスを用いて入力される。
【００２９】
荷重センサ３０は、載置面１５に加えられる荷重を検出し、検出信号を制御装置６０に送信する。荷重センサ３０は、台座本体１０Ａの４つの隅に夫々設けられている。具体的には、右足の爪先部に対応する部分に第１の荷重センサ３０が設けられ、左足の爪先部に対応する部分に第２の荷重センサ３０が設けられている。右足の踵部に対応する部分に第３の荷重センサ３０が設けられ、左足の踵部に対応する部分に第４の荷重センサ３０が設けられている。
【００３０】
荷重センサ３０は、歪ゲージを有するロードセルを備えている。ロードセルは、ロードセル本体と、荷重を受けることにより変形しかつロードセル本体に対して移動する作用部とにより構成されている。ロードセル本体は載置台１０Ｂに固定されている。ロードセルの作用部は台足２０に接触する。
【００３１】
ロードセルに荷重が加えられたとき作用部がロードセル本体に対して移動する。そして、作用部の移動に応じた信号がロードセル本体から出力される。出力信号は制御装置６０に送信される。
【００３２】
制御装置６０は、３つの演算機能を有する。第１に、４つの荷重センサ３０からの出力信号に基づいて体重を算出する。第２に、第１測定電極４３および第２測定電極４４の出力に基づいて生体インピーダンスＩＢを算出するとともに、生体インピーダンスＩＢ、体重、その他の生体情報に基づいて体脂肪率を算出する。第３に、体重および体脂肪率を表示部５０に出力する。
【００３３】
表示部５０は、制御装置６０により算出された体重および体脂肪率を表示する。表示部５０は、第１印加電極４１と第２印加電極４２との間、すなわち載置面１５の前方に配置されている。
【００３４】
表示部５０は、生体情報を入力するためのインターフェイスの機能を有する。すなわち、測定者がこの表示部５０を通じて制御装置６０に体重、年齢、性別等の情報を入力することができる構成となっている。
【００３５】
台足２０は、円筒状に形成されている。台足２０の底面には、滑り止めのゴム製のシートが貼り付けられている。台足２０の上面はロードセルの作用部が当たる受け部２０Ａとされている。
【００３６】
各台足２０は、載置面１５の裏側において４つの隅に夫々設けられている。前方の２つの台足（前方台足）は、台座１０の前方部分を支持する。後方の２つの台足（後方台足）は、台座１０の後方を支持する。具体的には、右足の爪先部に対応する部分に右前方台足２１が設けられ、左足の爪先部に対応する部分に左前方台足２２が設けられている。右足の踵部に対応する部分に右後方台足２３が設けられ、左足の踵部に対応する部分に左後方台足２４が設けられている。
【００３７】
各台足２０は、台座本体１０Ａの側面に対し次に示す位置に配置されている。
右前方台足２１は、右側面１２の延長面ＳＡよりも内側かつ前面１４の延長面ＳＤよりも内側に配置されている。左前方台足２２は、左側面１３の延長面ＳＢよりも内側かつ前面１４の延長面ＳＤよりも内側に配置されている。右後方台足２３は、右側面１２の延長面ＳＡよりも内側かつ後面１１の延長面ＳＣよりも内側に配置されている。左後方台足２４は、左側面１３の延長面ＳＢよりも内側かつ後面１１の延長面ＳＣよりも内側に配置されている。ここでの延長面よりも内側とは、台足２０全体が延長面よりも台座本体１０Ａの中心側の領域に入っていることをいう。側面の延長面とは、側面を構成する面のうち大部分を占める主面の延長面をいう。例えば、右側面１２と底面１６との接続部分においてテーパが設けられている場合、この接続部分（テーパに対応する部分）は主面以外の部分とみなす。なお、後面１１の延長面ＳＣおよび前面１４の延長面ＳＤについては図示を省略している。
【００３８】
ところで、台座本体１０Ａの右側面１２および左側面１３が内側に傾斜している場合、台座１０が傾きやすくなる。例えば、測定者が台座１０の外側に足を載せること、または台座１０に対して身体を外側に傾けた状態すなわち台座１０の外側に身体の重心を置いた状態で台座１０に足を載せることにより、台座１０が傾く。台座１０が傾くと、測定者の足元が不安定となるため、測定者がバランスを崩す。この点に関し、上記構造の生体情報測定装置１と比較構造の生体情報測定装置１００とを比較して、上記構成の生体情報測定装置１の作用について説明する。
【００３９】
図３（ａ）は、比較構造の生体情報測定装置１００の傾き度合いを示し、図３（ｂ）は、上記構造の生体情報測定装置１の傾き度合いを示す。
比較構造の生体情報測定装置１００では、台足１２０の一部分が、台座１１０の側面１１１の延長面ＳＥよりも外側に配置されている。この構造の場合、測定者が台座１１０の外側に足を載せたとき、または台座１１０の外側に身体の重心を置いた状態で台座１１０に足を載せたとき、台座１１０が台足１２０の外側の端縁を支点として傾く。そして、台座１１０が一旦傾きはじめると台座１１０の側縁１１８が地面に接触するまで傾く。このような角度まで傾くと測定者がバランスを崩す。
【００４０】
図３（ｂ）は、本実施形態の生体情報測定装置１の傾き度合いを示す。
本実施形態の生体情報測定装置１では、台足２０が側面の延長面よりも内側に配置されている。
【００４１】
この構造の場合、測定者が台座１０の外側に足を載せること、または台座１０の外側に身体の重心を置いた状態で台座１０に足を載せることで台座１０は傾くが、載置台１０Ｂの側縁１８が地面に当たる前に、台座本体１０Ａの底面側縁１９が地面に接触する。このときの台座１０の傾きは、比較構造の生体情報測定装置１００の傾きよりも小さい。これにより、測定者がバランスを崩す頻度を抑制することができる。
【００４２】
（実施形態の効果）
本実施形態の生体情報測定装置１によれば以下の効果が得られる。
（１）生体情報測定装置１においては、台座本体１０Ａの側面が下方に向かうにつれて内側に傾斜する生体情報測定装置１に対して、右前方台足２１および右後方台足２３を右側面１２の延長面ＳＡよりも内側に配置している。さらに、左前方台足２２および左後方台足２４を左側面１３の延長面ＳＢよりも内側に配置している。
【００４３】
測定者が台座１０に載るとき生体情報測定装置１が傾くことがある。生体情報測定装置１の傾きが小さいときは測定者がバランスを崩すことは殆どないが、生体情報測定装置１が大きく傾くと、測定者がバランスを崩す。特に、台座本体１０Ａの側面が内側に傾斜している場合、台足２０の外側に荷重が加わる可能性が高い上に、一旦生体情報測定装置１が傾くと台座１０の側縁１８が地面に接触するまで傾くため、測定者がバランスを崩す可能性が高い。この点、上記構成によれば、台座１０が傾いたとき底面側縁１９が地面に接触するため、台座１０が大きく傾くことが抑制され、これにより測定者がバランスを崩す頻度が少なくなる。また、従来技術のように台座本体１０Ａの底面１６に突起を設けて台座１０の傾きを制止するものではないため、台座本体１０Ａの上下方向への移動が規制されることはない。このため、体重を正確に測定することができる。
【００４４】
（２）生体情報測定装置１においては、右側面１２と底面１６との間のなす角θ、および左側面１３と底面１６との間のなす角θが鈍角である。この構成によれば、生体情報測定装置１を上方から見たとき、台座１０の側面の一部が隠れるとともに、台足２０の全部またはその一部が隠れて見えない。すなわち、実際の大きさよりもコンパクトであるという印象を与えることができる。
【００４５】
（３）生体情報測定装置１においては、載置面１５に電極４０を設けている。この構成によれば、電極４０を通じて身体に電流を流すことができるため、生体インピーダンスＩＢを測定することができる。
【００４６】
（４）生体情報測定装置１においては、足マークが電極で構成されている。すなわち、電極４０の形状が足マークの形状に対応している。測定者は、足の形状に対応した形（足マーク）をみたとき、無意識にその足マークに足を載せる。このため、足が電極４０の場所以外のところに置かれることが少なくなる。これにより、電極４０と身体とが接触面積が不十分になることに起因して体脂肪率の測定精度が低下する頻度を抑制することができる。
【００４７】
（第２実施形態）
本実施形態の生体情報測定装置１は、第１実施形態の生体情報測定装置１の一部を変更したものとして構成されている。このため、以下では第１実施形態の生体情報測定装置１と異なる点の詳細を説明し、同実施形態と共通する構成については同一の符号を付してその説明の一部または全部を省略する。
【００４８】
第１実施形態の生体情報測定装置１においては、台足２０と電極４０との位置関係について特に規定していないが、本実施形態では台足２０の中心軸を電極４０の中心線よりも外側に配置する。
【００４９】
図４に示すように、右前方台足２１の中心軸ＣＪを通る幅方向において、第１印加電極４１の中心位置よりも外側に当該右前方台足２１の中心軸ＣＪが配置されている。右後方台足２３の中心軸ＣＪを通る幅方向において、第１測定電極４３の中心位置よりも外側に当該右後方台足２３の中心軸ＣＪが配置されている。具体的には、右前方台足２１の中心軸ＣＪおよび右後方台足２３の中心軸ＣＪは、第１印加電極４１および第１測定電極４３の幅方向における中心線（以下、「第１中心線Ｃ１」）よりも外側に配置されている。なお、第１中心線Ｃ１は、第１印加電極４１の重心と第１測定電極４３の重心とを通る線とする。
【００５０】
同様に、左前方台足２２の中心軸ＣＪを通る幅方向において、第２印加電極４２の中心位置よりも外側に当該左前方台足２２の中心軸ＣＪが配置されている。左後方台足２４の中心軸ＣＪを通る幅方向において、第２測定電極４４の中心位置よりも外側に当該左後方台足２４の中心軸ＣＪが配置されている。具体的には、左前方台足２２の中心軸ＣＪおよび左後方台足２４の中心軸ＣＪは、第２印加電極４２および第２測定電極４４の幅方向における中心線（以下、「第２中心線Ｃ２」）よりも外側に配置されている。なお、第２中心線Ｃ２は、第２印加電極４２の重心と第２測定電極４４の重心とを通る線とする。
【００５１】
ところで、台座本体１０Ａの右側面１２および左側面１３が内側に傾斜している場合、測定者が台座１０の外側に足を載せること、または台座１０の外側に身体の重心を置いた状態で台座１０に足を載せることにより、台座１０が傾くことがある。これに対して、第１実施形態では、台足２０を側面の延長面よりも内側に配置する。これにより、台座１０の傾きを一旦制止させる。しかし、台足２０を台座１０の中心側に寄せすぎると、電極４０に対応する足の置き場所に適切に荷重を加えたとしても台座１０が傾く。この点に関し、上記構造の生体情報測定装置１と、比較構造の生体情報測定装置２００とを比較して、上記構成の生体情報測定装置１の作用について説明する。
【００５２】
図５（ａ）は、比較構造の生体情報測定装置２００の載置面に片足を載せたときの状態を示し、図５（ｂ）は、上記構造の生体情報測定装置１の載置面１５に片足を載せたときの状態を示す。
【００５３】
図５（ａ）に示すように、比較構造の生体情報測定装置２００では、右前方台足２２１の中心軸ＣＪおよび右後方台足２２３の中心軸ＣＪが、電極４０の第１中心線Ｃ１よりも内側に配置されている。同様に、左前方台足２２２の中心軸ＣＪおよび左後方台足２２４の中心軸ＣＪが、電極４０の第２中心線Ｃ２よりも内側に配置されている。この構造の場合、第２測定電極２４４に対応する位置に片足を載せたとき、測定者の荷重が、左前方台足２２２の中心軸ＣＪおよび左後方台足２２４の中心軸ＣＪよりも外側に加わるため、台座２１０が傾く。
【００５４】
これに対して、上記構造の生体情報測定装置１では、各台足２０の中心軸ＣＪが対応する電極４０の中心線よりも外側に配置されている。このため、第２測定電極４４に対応する位置に片足を載せたとき、測定者の荷重が左後方台足２４の中心軸ＣＪよりも内側に加わるため、図５（ｂ）に示すように台座１０が傾くことは殆どない。
【００５５】
（実施形態の効果）
本実施形態の生体情報測定装置１によれば、第１実施形態の（１）〜（４）の効果に加えて以下の効果が得られる。
【００５６】
（５）生体情報測定装置１においては、台足２０の中心軸ＣＪを通る幅方向において、足マークを示す電極４０の中心位置（重心）よりも外側に台足２０の中心軸ＣＪが配置されている。この構成によれば、台座１０に加わる荷重が台足２０の中心軸ＣＪよりも外側に加わることが抑制されるため、生体情報測定装置１が傾くことが抑制される。
【００５７】
（第３実施形態）
本実施形態の生体情報測定装置１は、第１実施形態の生体情報測定装置１の一部を変更したものとして構成されている。このため、以下では第１実施形態の生体情報測定装置１と異なる点の詳細を説明し、同実施形態と共通する構成については同一の符号を付してその説明の一部または全部を省略する。
【００５８】
第１実施形態においては、４つの台足２０が台座本体１０Ａの側面の延長面に対して内側に配置されている。これに対して、本実施形態では、前方の台足２０を台座本体１０Ａの側面の延長面に対して内側に配置し、かつ後方の台足２０を台座本体１０Ａの側面の延長面に対して外側に配置している。
【００５９】
図６に示すように、載置台１０Ｂは、前辺が後辺より長い台形に形成されている。台座本体１０Ａは、側面視で底面１６に向って窄む形に形成されている。このような形状とすることにより、台座１０をコンパクトな印象を与える外観にしている。
【００６０】
各台足２０は、次のように配置されている。
右前方台足２１は、右側面１２の延長面ＳＡよりも内側かつ前面１４の延長面ＳＤよりも内側に配置されている。そして、右前方台足２１の中心軸ＣＪは、第１印加電極４１の幅方向における中心線（以下、「第３中心線Ｃ３」）よりも内側に配置されている。なお、第３中心線Ｃ３は、第１印加電極４１の幅方向で互いに対向する辺の直線部分において、両辺から等距離にある点を連結した線とする。
【００６１】
左前方台足２２は、左側面１３の延長面ＳＢよりも内側かつ前面１４の延長面ＳＤよりも内側に配置されている。そして、左前方台足２２の中心軸ＣＪは、第２印加電極４２の幅方向における中心線（以下、「第４中心線Ｃ４」）よりも内側に配置されている。なお、第４中心線Ｃ４は、第２印加電極４２の幅方向で互いに対向する辺の直線部分において、両辺から等距離にある点を連結した線とする。
【００６２】
右後方台足２３の一部分は右側面１２の延長面ＳＡよりも外側に配置され、かつ右後方台足２３の全体は後面１１の延長面ＳＣよりも内側に配置されている。更に右後方台足２３の中心軸ＣＪは、第１測定電極４３の幅方向における中心線（以下、「第５中心線Ｃ５」）よりも外側に配置される。なお、第５中心線Ｃ５は、第１測定電極４３の幅方向で互いに対向する辺の直線部分において、両辺から等距離にある点を連結した線とする。
【００６３】
左後方台足２４の一部分は左側面１３の延長面ＳＢよりも外側に配置され、かつ左後方台足２４の全部は後面１１の延長面ＳＣよりも内側に配置されている。更に左後方台足２４の中心軸ＣＪは、第２測定電極４４の幅方向における中心線（以下、「第６中心線Ｃ６」）よりも外側に配置される。なお、第6中心線Ｃ６は、第２測定電極４４の幅方向で互いに対向する辺の直線部分において、両辺から等距離にある点を連結した線とする。
【００６４】
ところで、本実施形態では、生体情報測定装置１の載置面１５の面積を小さくするために、載置面１５の大きさを、一般の測定者が両足を肩幅程度に開いたときの両足の大きさに合わせている。この場合、載置台１０Ｂの形状は図６に示すように台形となる。このような構造にする場合、第２実施形態のように台足２０を配置することが困難となる。すなわち、電極４０の中心線と、台座本体１０Ａの側面の延長面との間のスペースが小さくなるため、第２実施形態のように、このスペースに台足２０を配置することが困難となる。仮に台足２０をこのスペースに設けるとすれば台足２０の直径を小さくする必要があり、この場合には、荷重に耐えられないようになる。
【００６５】
そこで、上記構成のように前方の台足２０で台座１０の傾きを制止する構造とし、後方の台足２０で台座１０の安定性を確保する。すなわち、右前方台足２１を右側面１２の延長面ＳＡよりも内側、かつ左前方台足２２を左側面１３の延長面ＳＢよりも内側に配置することにより、台座１０が傾斜したときに台座１０の底面側縁１９が接触する構造とする。これにより、更に傾くことを抑制する。更に、右後方台足２３と左後方台足２４との間の距離を大きくする。すなわち、右後方台足２３の中心軸ＣＪを第５中心線Ｃ５よりも外側に配置し、かつ左後方台足２４の中心軸ＣＪを第６中心線Ｃ６よりも外側に配置している。これにより、台座１０を傾きにくくしている。
【００６６】
（実施形態の効果）
本実施形態の生体情報測定装置１によれば、第１実施形態の（１）〜（４）の効果に加えて以下の効果が得られる。
【００６７】
（６）生体情報測定装置１においては、載置面１５を前辺が後辺よりも長い台形とする。そして、前方の２つの台足２０を側面の延長面よりも内側に配置し、かつ後方の２つの台足２０の中心軸ＣＪを対応する電極４０の中心線よりも外側に配置する。
【００６８】
載置面１５が台形である場合、この台形の長辺を一辺とする正方形の載置面を有する台座１０を有する生体情報測定装置（以下、比較装置）に比べて、台座１０が傾きやすくなる。すなわち、４つの台足２０の全てについて台座本体１０Ａの側面の延長面よりも内側に配置すると、４つの台足２０をこれと同様の配置とした比較装置に比べて台足２０同士の間隔が狭くなるため、当該比較装置よりも傾きやすい。そこで、上記構成のように、載置面１５の前方にある２つの台足２０を、側面の延長面よりも内側に配置することにより、台座１０が一旦傾いたとしても、これ以上に傾くことを抑制する。かつ、後方にある２つの台足２０の中心軸ＣＪを当該台足２０に対応する電極４０の中心線よりも外側に配置する。これにより台座１０を安定化させて、台座１０が傾くこと自体を抑制することができる。
【００６９】
（その他の実施形態）
本発明の実施態様は、第１および第２実施形態の内容に限られるものではなく、例えば、以下のように変更することもできる。また、以下の変形例は対応する実施例についてのみ適用されるものではなく、異なる変形例同士を互いに組み合わせて実施することもできる。
【００７０】
・第１実施形態（図１）では、４つの台足２０が側面の延長面よりも内側に配置されているが、少なくとも１つの台足２０が延長面の内側に配置されていれば、当該台足２０により、当該台足２０の方向への台座１０の傾きを一旦制止することができる。
【００７１】
・第２実施形態（図４）では、４つの台足２０が側面の対応する電極の中心線よりも外側に配置されているが、少なくとも１つの台足２０が対応する中心線よりも外側に配置されていれば、当該台足２０により、台座１０が傾くことを抑制することができる。
【００７２】
・第３実施形態（図６）では、載置台１０Ｂが台形であるものに対して台足２０の位置を規定しているが、同実施形態の台足２０の構成を載置台１０Ｂが正方形または長方形であるものに対して適用することもできる。この場合においても、第３実施形態に準じた効果が得られる。
【００７３】
・第３実施形態（図６）では、前辺が後辺よりも長い台形の台座１０を有する生体情報測定装置１に対して台足２０の配置を規定しているが、この構成を前辺が後辺よりも短い台形の台座１０を有する生体情報測定装置１に適用することができる。この場合においても、第３実施形態に準じた効果が得られる。
【００７４】
具体的には、各台足２０は、次のように配置される。
右前方台足２１の一部分は右側面１２の延長面ＳＡよりも外側に配置され、かつ右前方台足２１の全体は前面１４の延長面ＳＤよりも内側に配置されている。更に右前方台足２１の中心軸ＣＪは、第１印加電極４１の幅方向における中心線よりも外側に配置される。
【００７５】
左前方台足２２の一部分は左側面１３の延長面ＳＢよりも外側に配置され、かつ左前方台足２２の全部は前面１４の延長面ＳＤよりも内側に配置されている。更に左前方台足２２の中心軸ＣＪは、第２印加電極４２の幅方向における中心線よりも外側に配置される。
【００７６】
右後方台足２３は、右側面１２の延長面ＳＡよりも内側かつ後面１１の延長面ＳＣよりも内側に配置されている。そして、右後方台足２３の中心軸ＣＪは、第１測定電極４３の幅方向における中心線よりも内側に配置される。
【００７７】
左後方台足２４は、左側面１３の延長面ＳＢよりも内側かつ後面１１の延長面ＳＣよりも内側に配置されている。そして、左後方台足２４の中心軸ＣＪは、第２測定電極４４の幅方向における中心線よりも内側に配置される。
【００７８】
・第１〜第３実施形態（図１）では、電極４０が足の置き場所を示すマークとして機能するが、足の置き場所を示すマークを電極とは別の部材により形成してもよい。例えば、当該マークをインクにより形成してもよい。このような構成によれば、電極４０のうち足が接触しない部分を省略することができるため、電極の材料コストを低減することができる。
【００７９】
・第１〜第３実施形態（図１）では、生体情報測定装置１に４つの台足２０を設けているが、台足２０の本数が３以上であればよい。なお、台足２０が奇数の場合、台座１０の安定性のため、少なくとも１つの台足２０を台座１０の中心線に沿う位置に配置することが好ましい。
【００８０】
・第１〜第３実施形態（図１）では、台座本体１０Ａの側面が平坦に形成されているが、側面の形状はこの形態に限定されない。例えば、側面を曲面に形成してもよい。この場合、台座１０を斜めにして側面と地面とを互いに接触させたときの側面の接触点をＡ点とし、かつ地面の接触点とＢ点として、Ａ点とＢ点を含む面が側面の延長面と定義する。そして、この延長面に対して各台足２０の位置が規定される。
【００８１】
・第１〜第３実施形態（図１）では、各側面が傾斜しているが、少なくとも１つの側面が傾斜していれば、本発明を適用することができる。この場合において、当該側面に対応する台足２０を第１〜第３実施形態の構成にすれば、上記各実施形態に準じた効果を奏する。
【００８２】
・第１〜第３実施形態（図１）では、載置台１０Ｂの形状を四角形または台形にしているが、載置台１０Ｂの形状はこれに限定されない。例えば、載置台１０Ｂを円形または楕円形または扇形にすることができる。このように載置台１０Ｂの形状を変更しても上記第１〜第３実施形態に準じた効果を奏する。
【００８３】
・第１〜第３実施形態（図１）では、体重および生体インピーダンスＩＢを測定する生体情報測定装置１に本発明を適用しているが、本発明の適用対象は生体情報測定装置１の測定機能に関連して限定されるものではない。すなわち、台座１０と台足２０とを備えかつ台座１０が台足２０に対して傾く生体情報測定装置１であれば、本発明を適用することができる。
【符号の説明】
【００８４】
１…生体情報測定装置、１０…台座、１０Ａ…台座本体、１０Ｂ…載置台、１１…後面、１２…右側面、１３…左側面、１４…前面、１５…載置面、１８…側縁、１９…底面側縁、２０…台足、２１…右前方台足、２２…左前方台足、２３…右後方台足、２４…左後方台足、３０…荷重センサ、４０…電極、４１…第１印加電極、４２…第２印加電極、４３…第１測定電極、４４…第２測定電極、５０…表示部、６０…制御装置。
【図１】
0005475712.tif 000002
【図２】
0005475712.tif 000003
【図３】
0005475712.tif 000004
【図４】
0005475712.tif 000005
【図５】
0005475712.tif 000006
【図６】
0005475712.tif 000007